(57)【要約】【課題】光部品への保護チューブ固定・固定解除時のクリップの取り付け・取り外しの操作を容易にする。【解決手段】光部品１に緩く被せた可撓性を持つ樹脂製の保護チューブ３を当該光部品１に弾性的に固定するための保護チューブ用クリップ１４である。このクリップ１４は、１本の弾性線材１５を、その概ね中間部で湾曲状に折り返し、前記湾曲状の折返し部１６からそれぞれ延びる両側の折り返し片１７に、光部品１に被せた保護チューブ３を挟持する向き円弧状の1対の挟持部１８及びそれより端末側のつまみ部１９を形成するとともに、前記挟持部１８からつまみ部１９への移行部２０を互いに交差（交差部Ｐ）させた構造である。左右のつまみ部１９の外側に指を当て両つまみ部間を狭めることで、両挟持部１８間を広げることができる。その操作は容易であり、保護チューブ固定・固定解除時のクリップ１４の取り付け・取り外しの作業性が向上する。【選択図】図３
2008309329.tif 000002
【特許請求の範囲】
【請求項１】
光部品に緩く被せた可撓性を持つ樹脂製の保護チューブを、当該保護チューブが光部品から外れないように光部品の外周に弾性的に押し付けて固定するための保護チューブ用クリップであって、
１本の弾性線材を、その概ね中間部で湾曲状に折り返し、前記湾曲状の折返し部からそれぞれ延びる両側の折り返し片に、光部品に被せた保護チューブを挟持する向き円弧状の1対の挟持部及びそれより端末側のつまみ部を形成するとともに、前記挟持部からつまみ部への移行部を互いに交差させたことを特徴とする保護チューブ用クリップ。
【請求項２】
弾性線材の両端末側部分の前記つまみ部を、前記２つの挟持部がなす平面と概ね同じ平面内で折り曲げて形成したことを特徴とする請求項１記載の保護チューブ用クリップ。
【請求項３】
前記各つまみ部のさらに端末側をそれぞれ、前記２つの挟持部がなす平面と概ね直角な平面内で概ねリング状に折り返して指当て部を形成したことを特徴とする請求項２記載の保護チューブ用クリップ。
【請求項４】
弾性線材の両端末側部分の前記つまみ部を、前記２つの挟持部がなす平面と概ね直角に折り曲げて形成したことを特徴とする請求項１記載の保護チューブ用クリップ
【請求項５】
光部品に緩く被せた可撓性を持つ樹脂製の保護チューブを、当該保護チューブが光部品から外れないように光部品の外周に弾性的に押し付けて固定するための保護チューブ用クリップであって、
１本の弾性線材を、その概ね中間部を大きな湾曲形状で折り返すとともに折返し片を交差させてループ状つまみ部を形成し、前記交差部よりそれぞれの端末側部分に、光部品に被せた保護チューブを挟持する向き円弧状の1対の挟持部をそれぞれ形成したことを特徴とする保護チューブ用クリップ。
【発明の詳細な説明】
【技術分野】
【０００１】
この発明は、光部品に緩く被せた可撓性を持つ樹脂製の保護チューブを、当該保護チューブが光部品から外れないように光部品の外周に弾性的に押し付けて固定するための保護チューブ用クリップに関する。
【背景技術】
【０００２】
図１２において、１はピグテイルファイバ付き光部品を示す。図示例の光部品１は光ファイバ２を例えば光変調器等の光機器に接続する際に機器ケースへの挿入部として光ファイバ２の被覆部に取り付けられる光部品である。光ファイバ２の被覆部から延出する光ファイバ（裸ファイバ）２ａの先端にフェルール１０が取り付けられている。
先端にフェルール１０を取り付けて延出する光ファイバ２ａの部分は損傷し易いので、これを保護するために、ナイロン等の可撓性をもつ保護チューブ３を、光ファイバ２ａ及びフェルール１０を収容するように光部品１に被せている。保護チューブ３は光部品１に緩く被せられており、保護チューブ３が光部品１から外れないように、保護チューブ３を針金状の保護チューブ用クリップ４で光部品１の外周に弾性的に押し付けて固定する。保護チューブ３は内部が見えるように透明の樹脂を用いている。
【０００３】
従来、保護チューブ３を光部品１に固定するための保護チューブ用クリップ（以下場合により単にクリップと呼ぶ）として、一般に、図示のような市販のステップリテーナ（だるまピン）４が使用されている。すなわち、図１１にも示すように、１本の弾性線材５を、その概ね中間部で湾曲状に折り返し、前記湾曲状の折返し部６からそれぞれ延びる両側の折り返し片７における、前記折返し部６から若干離れた部分をそれぞれ内向きの円弧状に曲げて、光部品１に被せた保護チューブ３を挟持可能な対向する１対の挟持部８をそれぞれ形成し、各挟持部８より端末側部分をそれぞれ外側に曲げてつまみ部９とした形状のクリップ４である。
【０００４】
このクリップ４で、光部品１に緩く被せた保護チューブ３を挟持して光部品１に固定する場合、クリップ４の左右のつまみ部９の間に指を入れて両つまみ部９間を広げ、同時に広がった両挟持部８を保護チューブ３の外周に位置させ、次いで指を離すと、広がった両つまみ部９が復元して対向する両挟持部８で、可撓性のある保護チューブ３を光部品１の外周に押し付けて弾性的に固定する。
【発明の開示】
【発明が解決しようとする課題】
【０００５】
上記のように従来のクリップ４すなわちだるまピンは、その構造上、円弧状の挟持部８間を広げるために左右のつまみ部９の間に指を入れる必要があり、クリップ４で保護チューブ３を光部品１に固定したり固定解除したりする際のクリップ４の取り付け・取り外しの操作がしにくく、作業性が悪いという問題がある。また、操作がしにくいために、取り付け・取り外しに失敗して光部品を破壊してしまう場合も発生していた。
【０００６】
本発明は上記従来の欠点を解消するためになされたもので、クリップの取り付け・取り外しの操作が容易で作業性を向上させることができ、また、取り付け・取り外しに失敗して光部品を破壊してしまう恐れの少ない保護チューブ用クリップを提供することを目的とする。
【課題を解決するための手段】
【０００７】
上記課題を解決する本発明は、光部品に緩く被せた可撓性を持つ樹脂製の保護チューブを、当該保護チューブが光部品から外れないように光部品の外周に弾性的に押し付けて固定するための保護チューブ用クリップであって、
１本の弾性線材を、その概ね中間部で湾曲状に折り返し、前記湾曲状の折返し部からそれぞれ延びる両側の折り返し片に、光部品に被せた保護チューブを挟持する向き円弧状の1対の挟持部及びそれより端末側のつまみ部を形成するとともに、前記挟持部からつまみ部への移行部を互いに交差させたことを特徴とする。
【０００８】
請求項２は、請求項１の保護チューブ用クリップにおいて、弾性線材の両端末側部分の前記つまみ部を、前記２つの挟持部がなす平面と概ね同じ平面内で折り曲げて形成したことを特徴とする。
【０００９】
請求項３は、請求項２の保護チューブ用クリップにおいて、各つまみ部のさらに端末側をそれぞれ、前記２つの挟持部がなす平面と概ね直角な平面内で概ねリング状に折り返して指当て部を形成したことを特徴とする。
【００１０】
請求項４は、請求項１の保護チューブ用クリップにおいて、弾性線材の両端末側部分の前記つまみ部を、前記２つの挟持部がなす平面と概ね直角に折り曲げて形成したことを特徴とする。
【００１１】
請求項５の発明は、光部品に緩く被せた可撓性を持つ樹脂製の保護チューブを、当該保護チューブが光部品から外れないように光部品の外周に弾性的に押し付けて固定するための保護チューブ用クリップであって、
１本の弾性線材を、その概ね中間部を大きな湾曲形状で折り返すとともに折返し片を交差させてループ状つまみ部を形成し、前記交差部よりそれぞれの端末側部分に、光部品に被せた保護チューブを挟持する向き円弧状の1対の挟持部をそれぞれ形成したことを特徴とする。
【発明の効果】
【００１２】
請求項１の保護チューブ用クリップによれば、両側の折返し片における折返し部側の挟持部と先端側のつまみ部との間に交差部を持つので、左右のつまみ部の外側に指を当て両つまみ部間を狭めることで、両挟持部間を広げることができる。左右のつまみ部を外側から指で狭める操作は容易であり、クリップで保護チューブを光部品に固定したり固定解除したりする際のクリップの取り付け・取り外しの作業性が向上する。また、取り付け・取り外しに失敗して光部品を破壊してしまう恐れも少ない。
【００１３】
請求項５の保護チューブ用クリップによれば、ループ状つまみ部と端末側の挟持部との間に交差部を持つので、ループ状つまみ部の左右の外側に指を当てループ部を押し潰すことで、両挟持部間を広げることができる。
ループ（ループ状つまみ部）を外側から指で押し潰す操作は容易であり、クリップの取り付け・取り外しの作業性が向上する。また、取り付け・取り外しに失敗して光部品を破壊してしまう恐れも少ない。
【発明を実施するための最良の形態】
【００１４】
以下、本発明を実施した保護チューブ用クリップについて、図面を参照して説明する。
【実施例１】
【００１５】
図１は本発明の一実施例の保護チューブ用クリップ（以下、場合により単にクリップという）１４を示すもので、（イ）は平面図、（ロ）は（イ）のＡ矢視図、（ハ）は（イ）のＢ矢視図、図２は保護チューブ用クリップ１４の斜視図、図３は前記クリップ１４の使用状態を示す斜視図である。
図３において、１は前記クリップ１４を取り付ける、例えば、ピグテイルファイバ付きの円筒型なる光部品である。図示例の光部品１は、光ファイバ２を例えば光変調器等の光機器に接続する際に機器ケースへの挿入部として光ファイバ２の被覆部に取り付けられる光部品である。光ファイバ２の被覆部から延出する光ファイバ（裸ファイバ）２ａの先端にフェルール１０が取り付けられている。
先端にフェルール１０を取り付けて延出する光ファイバ２ａの部分は損傷し易いので、これを保護するために、ナイロン等の可撓性をもつ保護チューブ３を、光ファイバ２ａ及びフェルール１０を収容するように光部品１に被せている。保護チューブ３は光部品１に緩く被せられており、保護チューブ３が光部品１から外れないように、保護チューブ３を針金状の保護チューブ用クリップ１４で光部品１の外周に弾性的に押し付けて固定する。保護チューブ３は内部が見えるように透明の樹脂を用いている。
【００１６】
この保護チューブ用クリップ（以下場合により単にクリップという）１４は、例えばステンレス線などの１本の弾性線材１５を、その概ね中間部で湾曲状に折り返し、折り返した弾性線材の先端を交差させてリングを形成する。
このリングの内側に円筒型の光部品を挟み込むようにする。
前記クリップは、前記湾曲状の折返し部１６からそれぞれ延びる両側の折り返し片１７における前記折返し部１６から若干離れた部分がそれぞれリング内向きに湾曲し円弧状に曲げられている。
円弧状に曲げられた部分は、光部品１に被せた保護チューブ３を挟持可能な対向する１対の挟持部１８をなしている。
さらに、各挟持部１８よりそれぞれ端末側部分を互いに交差させ、その交差部Ｐよりさらに端末側部分を接近するように曲げて互いに平行なつまみ部１９を形成した形状である。すなわち、挟持部１８からつまみ部１９への移行部２０を互いに交差させた形状である。また、図示例のつまみ部１９は、両挟持部１８がなす平面（図１（イ）では紙面）と概ね同じ平面内で内側（接近する方向）に曲げている。
円弧状の挟持部１８の部分は保護チューブ３を挟持する部分なので、好ましくは保護チューブ３の円形断面の曲率と概ね同程度の曲率とする。
【００１７】
このクリップ１４で、光部品１に緩く被せた保護チューブ３を挟持して光部品１に固定する場合、挟持部１８からつまみ部１９に移行する移行部２０が互いに交差（交差部Ｐ）しているので、クリップ１４の左右のつまみ部１９の外側に指を当てて両つまみ部１９間を狭めると、両挟持部１８がそれぞれつまみ部１９と反対方向に動いて互いに広がる。
その状態で両挟持部１８を保護チューブ３の外周に位置させ、次いで指を離すと、狭まった両つまみ部１９が復元して広がるとともに、両挟持部１８がそれと反対に互いに狭まって、可撓性のある保護チューブ３を光部品１の外周に押し付けて弾性的に固定する。
【００１８】
上記の通り、左右のつまみ部１９の外側に指を当て両つまみ部１９間を狭めることで、両挟持部１８間を広げることができるので、光部品１への保護チューブ固定・固定解除時のクリップ１４の取り付け・取り外しは、従来のクリップ４と比べて著しく容易になる。したがって、クリップ１４の取り付け・取り外しの作業性が向上し、作業工数が削減され、コストダウンが図られる。また、取り付け・取り外しに失敗して光部品を破壊してしまう恐れも少なくなる。
【実施例２】
【００１９】
図４〜図６は本発明の他の実施例の保護チューブ用クリップ２４を示すもので、図４（イ）はクリップ２４の平面図、（ロ）は（イ）のＣ矢視図、（ハ）は（イ）のＤ矢視図、図５はクリップ２４の斜視図、図６は前記クリップ２４で保護チューブ３を光部品１に固定した使用状態を示す斜視図である。
【００２０】
このクリップ２４は、図１〜図３のクリップ１４における左右のつまみ部１９のそれぞれ端末側に指当て部２１を付加したものである。すなわち、各つまみ部１９のさらに端末側をそれぞれ、前記２つの挟持部１８がなす平面と概ね直角な平面（図４（ロ）で紙面）内で概ねリング状に折り返して指当て部２１を形成したものである。
【００２１】
このクリップ２４を操作する場合、つまみ部１９の端末近傍及び指当て部２１の外側面に指を当てて、両つまみ部１９間を狭める。本発明のクリップは、微小な光部品を対象とするのでサイズは小さく、例えば全長が１３ｍｍ等であり線径が０．６ｍｍφと細いので、つまみ部１９を指で押さえる際に指が痛くならないことが望ましいが、細い直線部分だけでなく広い面をなす指当て部２１があることで、指が痛くなることを防止できる。
【実施例３】
【００２２】
図７、図８は本発明のさらに他の実施例の保護チューブ用クリップ３４を示すもので、図７はクリップ３４の斜視図、図８は前記クリップ３４で保護チューブ３を光部品１に固定した使用状態を示す斜視図である。
【００２３】
このクリップ３４は、図１〜図３のクリップ１４と同様な折返し部１６、挟持部１８、交差した移行部２０を備えているが、移行部２０の端末側の左右のつまみ部３９を、前記２つの挟持部１８がなす平面と概ね直角に折り曲げて形成したものである。図示例では、移行部２０は、交差する傾斜部２０ａとそれぞれの端末部側の平行部２０ｂとからなり、平行部２０ｂの端末側から直角に折り曲げ（直角折り曲げ部をＱで示す）て前記つまみ部３９を形成している。つまみ部３９は若干長く形成している。
【００２４】
このクリップ３４は、つまみ部３９が光部品１に沿って長く延びているので、手でつまみ部３９を狭める操作が容易である。
また、このクリップ３４は、光部品１に沿っており直径方向への突出量が小さいので、コンパクトであり、出荷時に複数のクリップ付き光部品１を光部品収納ケース内に収納する場合におけるスペースファクターが良好である。
【実施例４】
【００２５】
図９、図１０は本発明のさらに他の実施例の保護チューブ用クリップ４４を示すもので、図９はクリップ４４の斜視図、図１０は前記クリップ４４で保護チューブ３を光部品１に固定した使用状態を示す斜視図である。
【００２６】
このクリップ４４は、１本の弾性線材５を、その概ね中間部を大きな湾曲形状で折り返すとともに交差（交差部をＰで示す）させてループ状つまみ部４９を形成し、前記交差部Ｐよりそれぞれの端末側部分に、光部品１に被せた保護チューブ３を挟持する向き円弧状の1対の挟持部４８をそれぞれ形成した形状である。また、この実施例では、交差部Ｐより若干端末側の位置で直角に折り曲げ（直角折り曲げ部をＱで示す）て、２つの挟持部４８がなす平面とループ状つまみ部４９がなす平面とを直交させている。
【００２７】
このクリップ４４は、ループ状つまみ部４９の左右の外側に指を当てループを押し潰すことで、両挟持部４８間を広げることができる。ループ（ループ状つまみ部４９）を外側から指で押し潰す操作は容易である。
このクリップ４４も、つまみ部４９が挟持部４８に対して直角に折り曲げられているので、コンパクトになっている。
【図面の簡単な説明】
【００２８】
【図１】本発明の一実施例の保護チューブ用クリップを示すもので、（イ）は平面図、（ロ）は（イ）のＡ矢視図、（ハ）は（イ）のＢ矢視図である。
【図２】図１の保護チューブ用クリップの斜視図である。
【図３】図１の保護チューブ用クリップで、光部品に被せた保護チューブを光部品に固定した使用状態を示す斜視図である。
【図４】本発明の他の実施例の保護チューブ用クリップを示すもので、（イ）は平面図、（ロ）は（イ）のＣ矢視図、（ハ）は（イ）のＤ矢視図である。
【図５】図４の保護チューブ用クリップの斜視図である。
【図６】図４の保護チューブ用クリップで、光部品に被せた保護チューブを光部品に固定した使用状態を示す斜視図である。
【図７】本発明のさらに他の実施例の保護チューブ用クリップを示す斜視図である。
【図８】図７の保護チューブ用クリップで、光部品に被せた保護チューブを光部品に固定した使用状態を示す斜視図である。
【図９】本発明のさらに他の実施例の保護チューブ用クリップを示す斜視図である。
【図１０】図９の保護チューブ用クリップで、光部品に被せた保護チューブを光部品に固定した使用状態を示す斜視図である。
【図１１】従来の保護チューブ用クリップを示す斜視図である。
【図１２】図１１の保護チューブ用クリップで、光部品に被せた保護チューブを光部品に固定した使用状態を示す斜視図である。
【符号の説明】
【００２９】
１  光部品
２  光ファイバ
３  保護チューブ
１０  フェルール
１４、２４、３４、４４  保護チューブ用クリップ
１５  弾性線材
１６  折返し部
１７  折り返し片
１８、２８、３８、４８  挟持部
１９、２９、３９、４９  つまみ部
２０  （挟持部からつまみ部への）移行部
【図１】
2008309329.tif 000003
【図２】
2008309329.tif 000004
【図３】
2008309329.tif 000005
【図４】
2008309329.tif 000006
【図５】
2008309329.tif 000007
【図６】
2008309329.tif 000008
【図７】
2008309329.tif 000009
【図８】
2008309329.tif 000010
【図９】
2008309329.tif 000011
【図１０】
2008309329.tif 000012
【図１１】
2008309329.tif 000013
【図１２】
2008309329.tif 000014